(57)【要約】【課題】  概念検索結果の足切りのための閾値の設定を自動化することが可能な情報検索装置を得る。【解決手段】  全文検索部４は、検索要求入力部１から入力された検索文字列に一致する文字列を含む文書を検索する。概念検索部５は、検索要求入力部１から入力された検索文字列に意味的に関連した文字列を含む文書を検索する。制御部９は、全文検索部４による全文検索結果と、概念検索部５による概念検索結果とを照合し、これらの照合結果に基づいて閾値を決定し、この閾値によって概念検索結果を選択し、全文検索結果と共に出力する。また、再設定指示部８によって、閾値の再設定が行われた場合は、変更された閾値によって、概念検索結果を再選択する。【選択図】        図１
2005250674.tif 000002
【特許請求の範囲】
【請求項１】
検索要求する文字列を入力する検索要求入力部と、
前記検索要求入力部で入力した文字列に一致する文字列を含む文書を検索する全文検索部と、
前記検索要求入力部で入力した文字列に意味的に関連した文字列を含む文書を検索する概念検索部と、
前記全文検索結果と、前記概念検索結果とを照合し、これらの照合結果に基づいて、前記概念検索結果のうち、どの概念検索結果を選択するかを決定するための閾値を決定する制御部とを備えた情報検索装置。
【請求項２】
全文検索結果の全てと、閾値より大きい値の概念検索結果を出力する制御部と、
前記制御部の出力結果を表示する表示部とを備えたことを特徴とする請求項１記載の情報検索装置。
【請求項３】
概念検索結果を用いて全文検索結果より広い範囲の検索結果を得るか否かを指定する概念拡張指示部と、
前記概念拡張指示部で拡張指示があった場合に、閾値を決定する制御部とを備えたことを特徴とする請求項１記載の情報検索装置。
【請求項４】
照合結果に基づく閾値の決定後、当該閾値の値を再設定するか否かを指定するための再設定指示部と、
前記再設定指示部で再設定指示が行われた場合は、当該再設定された閾値を新たな閾値として概念検索結果を選択する制御部とを備えたことを特徴とする請求項１記載の情報検索装置。
【請求項５】
概念検索結果を用いて全文検索結果を絞り込む検索結果を得るか否かを指定する絞り込み指示部と、
前記絞り込み指示部で絞り込み指示があった場合、全文検索結果の検索結果文書中、概念検索結果の一致度が基準値より大きい値を持つ文書を絞り込み検索結果として求める制御部とを備えたことを特徴とする請求項１記載の情報検索装置。
【請求項６】
全文検索結果と概念検索結果の差分のみの検索結果を表示指示する差分表示指示部と、
前記差分表示指示部で、差分表示指示があった場合、前記全文検索結果と前記概念検索結果のうち、前記概念検索結果のみを表示部に表示指示する制御部とを備えたことを特徴とする請求項１記載の情報検索装置。
【請求項７】
検索要求する文字列に基づき、文書の全文検索と概念検索を行う情報検索装置の動作制御をコンピュータで実現させる情報検索のためのプログラムであって、
前記文字列に一致する文字列を含む文書を検索する全文検索ステップと、
前記文字列に意味的に関連した文字列を含む文書を検索する概念検索ステップと、
前記全文検索ステップの全文検索結果と、前記概念検索ステップの概念検索結果とを照合する検索結果照合ステップと、
前記検索結果照合ステップの結果に基づいて、前記概念検索結果のうち、どの概念検索結果を選択するかを決定するための閾値を決定する閾値決定ステップとを実現させる情報検索のためのプログラム。
【請求項８】
概念検索結果を用いて全文検索結果を絞り込む検索結果を得るための絞り込み指示を受けて、前記全文検索結果の検索結果文書中、前記概念検索結果の一致度が基準値より大きい値を持つ文書を絞り込み検索結果として求める概念絞り込みステップを実現させる請求項７記載の情報検索のためのプログラム。
【請求項９】
全文検索結果と概念検索結果の差分のみの検索結果を表示指示するための差分表示指示を受けて、前記全文検索結果と前記概念検索結果のうち、前記概念検索結果のみを表示部に表示する差分結果抽出ステップを実現させる請求項７記載の情報検索のためのプログラム。
【発明の詳細な説明】
【技術分野】
【０００１】
この発明は、蓄積された大量の文書から業務で必要とされる重要な文書を迅速に検索して、業務目的に応じて活用することを可能とする情報検索装置および情報検索のためのプログラムに関するものである。
【背景技術】
【０００２】
文書の電子化が進み、短時間で必要な情報を取得するための検索方法の重要性が増している。このような検索方法のうち、入力とは異なる表現であっても類似する内容をもつ文書を検索可能な概念検索手段を含む複数の検索手段を備えた検索装置として、例えば特許文献１に示すものがあった。
【０００３】
この文献に記載の情報処理装置では、利用者からの検索要求（クエリ）を取得すると、入力されたテキストを単語に分解し、その後、検索方法を選択して全文検索や概念検索、あるいはフレーズ検索といった検索を行い、これを表示していた。そして、このような構成により、検索モードが二つ以上存在する場合において、クエリ文字に含まれる文字数や言語解析結果によって適用する検索モードを一つ以上決定し、クエリの解析結果によって、検索モードの結果の重み付けを決定していた。
【０００４】
【特許文献１】特開２００３−０８５２０１号公報
【発明の開示】
【発明が解決しようとする課題】
【０００５】
しかしながら、従来の情報検索装置では、次のような課題があった。
即ち、検索結果は検索対象の文書に依存するため、検索結果を求める前に入力したクエリの解析結果を元に検索モードおよび重み付けを決定する従来の方法では、入力に合致しない文字列を含む文書を検索結果として得る概念検索の閾値を自動的に設定できないため、検索結果の増減が利用者にとって明確でないという問題点があった。
【０００６】
この発明は上記のような課題を解決するためになされたもので、従来は、検索条件の閾値をどのように設定してよいか利用者にとって不明確であったものを、概念検索結果の足切りのための閾値の設定を自動化することが可能な情報検索装置および情報検索のためのプログラムを得ることを目的とする。
【課題を解決するための手段】
【０００７】
この発明に係る情報検索装置は、検索要求入力部で入力した文字列に一致する文書を検索する全文検索部と、入力した文字列に意味的に関連した文字列を含む文書を検索する概念検索部とを備え、全文検索結果と、概念検索結果とを照合し、これらの照合結果に基づいて、概念検索結果のうち、どの概念検索結果を選択するかを決定するための閾値を決定するようにしたものである。
【発明の効果】
【０００８】
この発明の情報検索装置は、全文検索結果と、概念検索結果とを照合し、これらの照合結果に基づいて、概念検索結果のうち、どの概念検索結果を選択するかを決定するための閾値を決定するようにしたので、概念検索結果の足切りのための閾値の設定を自動化することが可能となる。
【発明を実施するための最良の形態】
【０００９】
以下、この発明の実施の一形態を説明する。
実施の形態１．
図１は、この発明の実施の形態１による情報検索装置を示す構成図である。
図において、情報検索装置は、検索要求入力部１、表示部２、文書登録部３、全文検索部４、概念検索部５、拡張指示部６、絞り込み指示部７、再設定指示部８、制御部９からなる。
【００１０】
検索要求入力部１は、利用者が検索要求を行うと共にその検索要求する文字列を入力し、これらのデータを制御部９に渡すための手段であり、例えば、キーボードやポインティングデバイスといった入力手段と、表示部２に対して文字列入力や検索要求を行うための表示制御を行う機能で構成されている。あるいは、検索要求入力部１は、装置外部から検索を行う文字列を入力するためのインタフェース等で構成されていてもよい。表示部２は、例えばＣＲＴ（Cathode Ray Tube）や液晶ディスプレイといった表示装置からなり、制御部９からの表示制御データを表示する表示手段である。文書登録部３は、検索対象となる文書と、この文書を解析して検索に必要な索引等の情報とを有する例えばハードディスクといった記憶部上に形成された登録部である。
【００１１】
全文検索部４は、検索要求の文字列に合致する文書の情報を制御部９に送出する機能部である。概念検索部５は、検索要求の内容に類似した順にスコア付けした文書の情報を制御部９に送出する機能部である。尚、全文検索部４および概念検索部５における検索処理の詳細については、動作の項で詳述する。
【００１２】
拡張指示部６は、概念検索結果を用いて全文検索結果より広い範囲の検索結果を得るか否かを指定するための指示部であり、具体的には、表示部２上に表示されている拡張ボタンを利用者が選択することにより概念拡張指示を行うようにしたものである。絞り込み指示部７は、概念検索結果を用いて全文検索結果を絞り込む検索結果を得るか否かを指定するための指示部であり、具体的には、表示部２上に表示されている絞り込みボタンを利用者が選択することにより概念絞り込み指示を行うようにしたものである。
【００１３】
再設定指示部８は、照合結果に基づく閾値の決定後、その閾値の値を再設定するか否かを指定するための指示部であり、具体的には、表示部２上に表示されているスライドバー（これについては後述する）を利用者が変更することにより閾値再設定指示を行うようにしたものである。
【００１４】
制御部９は、情報検索装置を統括して管理する機能部であり、全文検索部４の全文検索結果と、概念検索部５の概念検索結果とを照合し、これらの照合結果に基づいて、概念検索結果のうち、どの概念検索結果を選択するかを決定するための閾値を決定すると共に、再設定指示部８にて再設定指示が行われた場合は、その再設定された閾値を新たな閾値として概念検索結果を選択するよう構成されている。
【００１５】
また、上記の情報検索装置は、コンピュータを用いて実現され、全文検索部４、概念検索部５および制御部９は、それぞれの機能に対応するソフトウェアと、これを実行するためのＣＰＵやメモリ等のハードウェアから構成されている。
【００１６】
次に、実施の形態１の動作について説明する。
図２は、情報検索装置の起動時の表示部２の状態を示す説明図である。
【００１７】
図において、検索文字列入力部２０１は、図１における検索要求入力部１に対応する表示部２上の構成であり、利用者が検索要求を行う文字列が表示される。検索ボタン２０２は、図１における検索要求入力部１に対応する構成であり、利用者が検索指示を行うためのボタンであり、表示部２上のこの検索ボタン２０２を押下する（マウスで選択してクリックするといった動作を行う）ことにより、情報検索が開始されるものである。拡張ボタン２０３は、図１における拡張指示部６に対応する表示部２上の構成であり、また、絞り込みボタン２０４は、図１における絞り込み指示部７に対応する表示部２上の構成である。
【００１８】
図３は、実施の形態１による概念拡張指示が行われた場合の動作フローチャートである。
先ず、図２に示すように、検索文字列入力部２０１に、“サーボとの接続方法”といった検索文字列が利用者によって入力され、かつ、検索ボタン２０２が押下されたとする。
【００１９】
これにより、制御部９は全文検索部４に対して検索指示を行う。全文検索部４は、全文検索ステップとして、検索要求入力部１より入力されたテキスト情報に対して、文書登録部３からの索引情報に基づいて、検索要求の文字列に合致する文書の情報を制御部９に受け渡す（ステップＳＴ１０１）。尚、文書の情報とは例えば文書に対して一意に設定された文書番号といった情報である。また、ここで、全文検索とは、検索文字列が全て含まれた文書を検索するものであるが、この検索方法は公知であるため、ここでの詳細な説明は省略する。ステップＳＴ１０１では、検索結果を取得する上限ｎ件が検索対象の一部として指定されていれば、ｎ件分の全文検索結果を得ることとする。
【００２０】
次に、ステップＳＴ１０２において、制御部９は、拡張指示部６によって概念拡張が指定されているかどうか、即ち、拡張ボタン２０３が押下されているかどうかを判定し、概念拡張の指定がなされていなければ、全文検索結果をそのまま検索結果として表示部２に表示させる（ステップＳＴ１０３）。
【００２１】
上記ステップＳＴ１０２において、概念拡張の指定がなされていれば、次に概念検索ステップとして、概念検索部５によって、検索要求の内容に類似した順にスコア付けした文書の情報を制御部９に受け渡す（ステップＳＴ１０４）。このとき、概念検索結果の取得する最大数ｍが検索要求の一部として指定されていれば、スコア上位のｍ件の検索結果のみを取得する。
【００２２】
概念検索には、たとえば文献（「単語の連想関係に基づく情報検索システムInfoMAP、高山他、情報学基礎53-1、1999-3、情報処理学会」）に開示された方法を用いる。この文献では、登録文書に含まれるテキストを解析して単語に分割し、同時に出現する（共起する）単語の頻度から特異値分解という代数的演算により索引を生成しておくことにより、概念検索を行うものである。
【００２３】
次に、ステップＳＴ１０５において、制御部９は、ステップＳＴ１０１で得たｎ件の全文検索結果と、ステップＳＴ１０４で得たｍ件の概念検索結果を照合する（検索結果照合ステップ）。この検索結果照合ステップには、検索結果の文書を一意に同定する文書番号等の情報を用いることとする。
【００２４】
次に、ステップＳＴ１０５で照合した結果、両方の検索結果が合致した文書の中から、閾値決定ステップとして、全文検索結果ｎ件中で、概念検索のスコアが最も低い値であるスコアｓを求める（ステップＳＴ１０６）。尚、このとき、スコアｓの計算には、最低のスコアにある演算を施したものを用いてもよい。例えば、最低スコアに所定の値を加算するといった方法である。これは、検索対象の文書によっては、最低スコアを用いると、検索結果として得られる文書が大量になってしまうような場合に有効であり、例えば、最低スコアに、０．１を加算したものをスコアとして用いる、といった演算である。
【００２５】
次に、制御部９は、ステップＳＴ１０５で求めたスコアｓを閾値として、ステップＳＴ１０４で求めた概念検索の結果の中から、スコアｓよりも高いスコアを持つ概念検索の結果を表示部２に表示させる（ステップＳＴ１０７）。
【００２６】
これにより、「概念拡張」の指示がされていた場合には、常に全文検索結果よりも検索結果の件数が増え、かつ、文書の内容に応じた順位付けがなされた検索結果を得ることが可能となる。
【００２７】
また、ステップＳＴ１０８において、閾値を再設定するためのスライドバー２０５の表示を行う。
【００２８】
図４は、閾値再設定時における表示画面の説明図である。
図中、スライドバー２０５は、図４における再設定指示部８に対応する表示部２上の構成であり、閾値再設定の範囲を視覚的に表示したグラフィカル・ユーザ・インタフェースである。また、このスライドバー２０５の表示位置は、図３のステップＳＴ１０６において自動的に求めたスコアｓに対応した値となっている。
【００２９】
利用者は、自動的に求めたスコアｓを閾値とした場合の検索結果が少なすぎると判断した場合は、スライドバー２０５を「広げる」と表示されている方向に移動させ、再度、検索ボタン２０２を押下する（ステップＳＴ１０９）。これにより、制御部９は、閾値の値を変更して（ステップＳＴ１１０）、ステップＳＴ１０７に戻り、変更された閾値で概念検索結果を得る。そして、このような動作を、利用者がスライドバー２０５の移動によって閾値再設定を行う限り繰り返す。
【００３０】
以上のように、実施の形態１によれば、検索要求する文字列を入力する検索要求入力部と、検索要求入力部で入力した文字列に一致する文字列を含む文書を検索する全文検索部と、検索要求入力部で入力した文字列に意味的に関連した文字列を含む文書を検索する概念検索部と、全文検索結果と、概念検索結果とを照合し、これらの照合結果に基づいて、概念検索結果のうち、どの概念検索結果を選択するかを決定するための閾値を決定する制御部とを備えたので、概念検索結果を選択するための閾値を自動的に設定することが可能となり、利用者にとって検索結果の増減を明確に知ることができる。
【００３１】
また、実施の形態１によれば、検索要求する文字列に基づき、文書の全文検索と概念検索を行う情報検索装置の動作制御をコンピュータで実現させる情報検索のためのプログラムを、文字列に一致する文字列を含む文書を検索する全文検索ステップと、文字列に意味的に関連した文字列を含む文書を検索する概念検索ステップと、全文検索ステップの全文検索結果と、概念検索ステップの概念検索結果とを照合する検索結果照合ステップと、検索結果照合ステップの結果に基づいて、概念検索結果のうち、どの概念検索結果を選択するかを決定するための閾値を決定する閾値決定ステップとを実現させる情報検索のためのプログラムとしたので、概念検索結果を選択するための閾値を自動的に設定することがコンピュータ上で実現可能となり、利用者にとって検索結果の増減を明確に知ることができる。
【００３２】
また、実施の形態１によれば、全文検索結果の全てと、閾値より大きい値の概念検索結果を出力する制御部と、制御部の出力結果を表示する表示部とを備えたので、利用者にとって、検索結果を表示部で容易に確認することが可能となる。また、大量の検索結果の中から、文書内容が検索要求と概念的に類似度が高いもののみに減らして検索結果を出力することが可能となる。
【００３３】
また、実施の形態１によれば、概念検索結果を用いて全文検索結果より広い範囲の検索結果を得るか否かを指定する概念拡張指示部と、概念拡張指示部で拡張指示があった場合に、閾値を決定する制御部とを備えたので、利用者は広い範囲の検索結果を得るか否かを自由に設定することができる。
【００３４】
また、実施の形態１によれば、照合結果に基づく閾値の決定後、閾値の値を再設定するか否かを指定するための再設定指示部と、再設定指示部で再設定指示が行われた場合は、再設定された閾値を新たな閾値として概念検索結果を選択する制御部とを備えたので、自動設定された閾値を利用者が任意に変更可能であるため、利用者は意図通りの検索結果を容易に得ることができると共に、利用者にとって理解し易い形で検索結果を得ることができる。
【００３５】
また、実施の形態１によれば、２種類の検索機能の呼び出し方を組み合わせた検索窓（検索文字列入力部２０１）を一つとしたため、従来のように、利用者が２種類の検索機能の意識的な使い分けを行わなければならないといったことがなく、利用者にとって、検索作業が容易となる。
【００３６】
また、実施の形態１によれば、検索ボタン２０２や拡張ボタン２０３の押下といった利用者にとって簡単な操作によって拡張動作の指示を行うようにしたので、利用者にとって理解し易い形で拡張指示を行うことができる。
【００３７】
実施の形態２．
実施の形態２は、上記実施の形態１で説明した情報検索装置における検索結果の絞り込みを行うようにしたものである。
【００３８】
図面上の構成は、図１で示した実施の形態１と同様であるため、ここでの説明は省略する。
【００３９】
次に、実施の形態２の動作について説明する。
図５は、実施の形態２による概念絞り込み指示が行われた場合の動作フローチャートである。
先ず、制御部９は概念拡張動作と同様に、全文検索部４に対して検索指示を行う。全文検索部４は、検索要求入力部１より入力されたテキスト情報に対して、文書登録部３からの索引情報に基づいて、検索要求の文字列に合致する文書の情報を制御部９に受け渡す（ステップＳＴ２０１）。
【００４０】
次に、ステップＳＴ２０２において、制御部９は、絞り込み指示部７によって概念絞り込み指示がなされているかどうか、即ち、絞り込みボタン２０４が押下されているかどうかを判定し、概念絞り込みの指定がなされていなければ、全文検索結果をそのまま検索結果として表示部２に表示させる（ステップＳＴ２０３）。
【００４１】
上記ステップＳＴ２０２において、概念拡張の指定がなされている場合のステップＳＴ２０４〜ステップＳＴ２０５迄の動作は、実施の形態１におけるステップＳＴ１０４〜ステップＳＴ１０５迄の動作と同様であるため、ここでの説明は省略する。次に、ステップＳＴ２０６では、概念絞り込みステップとして、全文検索結果のｎ件の文書の中で、その文書に対する概念検索のスコアが正である文書（基準値を０としてこの基準値より大きい値を持つ文書）を結果として求める。ここでは、概念検索のスコアは、検索要求に対する類似度に応じて、完全に一致する１から内容が全く異なる−１までの範囲の値をとることとする。
【００４２】
尚、本実施の形態では、スコアの中間的な値として０を基準値として、スコアが正の値のものを求めるようにしているが、概念検索のスコアが他の範囲をとる場合に、所定の基準に基づいた値を基準にして、その基準値以上の類似度を持つ文書を結果として求める構成としてもよい。
【００４３】
次に、ステップＳＴ２０７では、制御部９は、ステップＳＴ２０６で求めた概念検索のスコアが正である全文検索の結果を、概念検索のスコアの順に表示部２に表示させる。
【００４４】
このような動作により、「概念絞り込み」の指示がされていた場合には、常に全文検索結果よりも検索結果の件数が減り、かつ、概念検索のスコアによって文書の内容に応じた順位付けがなされた検索結果を得ることが可能となる。
【００４５】
また、概念絞り込みの場合でも、検索結果の表示と共に、再設定するためのスライドバーの表示を行う（ステップＳＴ２０８）。尚、このスライドバーは、閾値が基準値である以外は、実施の形態１における図４で説明したスライドバー２０５と同様の構成である。利用者は、自動的に求めた絞り込みでは検索結果が多すぎると判断した場合、スライドバー２０５を「絞る」方向へ移動し、再度、検索ボタン２０２を押下する（ステップＳＴ２０９）。これにより、制御部９は、基準値を変更し（ステップＳＴ２１０）、ステップＳＴ２０７に戻る。このような動作により、利用者が意図した検索結果の絞り込みを行うことができる。
【００４６】
以上のように、実施の形態２によれば、概念検索結果を用いて全文検索結果を絞り込む検索結果を得るか否かを指定する絞り込み指示部と、絞り込み指示部で絞り込み指示があった場合、全文検索結果の検索結果文書中、概念検索結果の一致度が基準値より大きい値を持つ文書を結果として求める制御部とを備えたので、利用者は、容易に検索結果が絞り込まれた結果を得ることができると共に、自動設定された基準値による検索結果が意図した結果とは異なる場合でも、自分の意図通りに検索結果を減らした再検索結果を得ることができる。
【００４７】
また、実施の形態２によれば、概念検索結果を用いて全文検索結果を絞り込む検索結果を得るための絞り込み指示を受けて、前記全文検索結果の検索結果文書中、前記概念検索結果の一致度が基準値より大きい値を持つ文書を絞り込み検索結果として求める概念絞り込みステップを実現させる情報検索のためのプログラムを備えたので、利用者が容易に検索結果が絞り込まれた結果を得ることができるようなコンピュータを実現できると共に、自動設定された基準値による検索結果が利用者の意図した結果とは異なる場合でも、自分の意図通りに検索結果を減らした再検索結果を得ることができるようなコンピュータを実現することができる。
【００４８】
実施の形態３．
実施の形態３は、全文検索結果と概念検索結果の差分表示を行うようにしたものである。
【００４９】
図６は、実施の形態３の情報検索装置の構成図である。
図の装置は、検索要求入力部１、表示部２、文書登録部３、全文検索部４、概念検索部５、拡張指示部６、絞り込み指示部７、再設定指示部８、制御部９、差分表示指示部１０からなる。ここで、検索要求入力部１〜再設定指示部８は実施の形態１，２と同様であるため、対応する部分に同一符号を付してその説明を省略する。また、差分表示指示部１０は、全文検索結果と概念検索結果の差分のみの検索結果の表示指示を行うための機能部である。また、制御部９ａは、基本的な機能は、実施の形態１における制御部９と同様であるが、実施の形態２における機能として、差分表示指示部１０で差分表示指示があった場合は、全文検索結果と概念検索結果のうちの概念検索結果のみを表示部２に表示させる機能を有している。
【００５０】
次に、実施の形態３の動作について説明する。
検索結果の拡張動作および絞り込み動作は実施の形態１および実施の形態２と同様であるため、ここでの説明は省略し、一例として拡張ボタン２０３が押下された場合の差分表示動作について説明する。
【００５１】
図７は、検索要求文字列入力画面と検索結果を示す説明図である。
ここでは、検索文字列として「サーボとの接続方法」が入力され、かつ、拡張ボタン２０３を押下し、検索ボタン２０２を押下して検索結果の一覧を表示した状態を示している。
【００５２】
また、図中、差分表示ボタン２０６は、図６における差分表示指示部１０の表示部２上の構成に相当するものであり、この差分表示ボタン２０６を押下することによって、差分表示が行われるようになっている。
【００５３】
図７に示す検索結果では、「サーボモータとの接続方法」という検索結果のタイトルと「８２％」という概念検索のスコア、および文書の要約である「この章では、機器と…」等が各文章毎にスコアの順に表示されている。このとき、入力された文字列そのもの、例えば「サーボモータ」等を含む検索結果と、入力された文字列とは完全に合致する文字列は含まないが、「小型電動機」のように入力と同じ内容を表す語を含む文書の検索結果とが混在する形で表示されている。
【００５４】
このような状態で、差分表示ボタン２０６と検索ボタン２０２とが押下された場合、制御部９は、差分結果抽出ステップとして、全文検索結果と概念検索結果の検索結果（図３におけるステップＳＴ１０７参照）のうち、全文検索結果を取り除いた概念検索結果のみを表示部２で表示させる。
【００５５】
図８は、差分表示を行った場合の検索結果画面の説明図である。
図示のように、図７に示した２７件の検索結果から、全文検索結果を取り除いた概念検索結果のみとなる６件の差分表示が行われる。即ち、この場合は、拡張動作により広がった検索結果のみを表示することができるため、利用者にとって検索結果の確認が容易に行うことができる。
【００５６】
以上のように、実施の形態３によれば、全文検索結果と概念検索結果の差分のみの検索結果を表示指示する差分表示指示部と、差分表示指示部で、差分表示指示があった場合、全文検索結果と概念検索結果のうち、概念検索結果のみを表示部に表示指示する制御部とを備えたので、利用者にとって拡張動作によって拡がった検索結果の確認を容易に行うことができる。
【００５７】
また、実施の形態３によれば、全文検索結果と概念検索結果の差分のみの検索結果を表示指示するための差分表示指示を受けて、前記全文検索結果と前記概念検索結果のうち、前記概念検索結果のみを表示部に表示する差分結果抽出ステップを実現させる情報検索のためのプログラムを備えたので、利用者が拡張動作によって拡がった検索結果の確認を容易に行うことができるようなコンピュータを実現することができる。
【００５８】
尚、上記各実施の形態では、全文検索と概念検索の２種類の検索結果としたが、全文検索の拡張として自然文検索やフレーズ検索を用いてもよい。ここで、自然文検索とは、全文検索の入力を単語毎に自動的に分かち書きする検索であり、フレーズ検索とは、全文検索で指定する複数の語が必ず連続している文書を検索する検索方法である。
【図面の簡単な説明】
【００５９】
【図１】この発明の実施の形態１による情報検索装置を示す構成図である。
【図２】この発明の実施の形態１による情報検索装置の起動時の表示部の状態を示す説明図である。
【図３】実施の形態１による概念拡張指示が行われた場合の動作フローチャートである。
【図４】閾値再設定時における表示画面の説明図である。
【図５】実施の形態２による概念絞り込み指示が行われた場合の動作フローチャートである。
【図６】実施の形態３の情報検索装置の構成図である。
【図７】検索要求文字列入力画面と検索結果を示す説明図である。
【図８】差分表示を行った場合の検索結果画面の説明図である。
【符号の説明】
【００６０】
１  検索要求入力部、２  表示部、４  全文検索部、５  概念検索部、６  拡張指示部、７  絞り込み指示部、８  再設定指示部、９，９ａ  制御部、１０  差分表示指示部、２０１  検索文字列入力部、２０２  検索ボタン、２０３  拡張ボタン、２０４  絞り込みボタン、２０５  スライドバー、２０６  差分表示ボタン。
【図１】
2005250674.tif 000003
【図２】
2005250674.tif 000004
【図３】
2005250674.tif 000005
【図４】
2005250674.tif 000006
【図５】
2005250674.tif 000007
【図６】
2005250674.tif 000008
【図７】
2005250674.tif 000009
【図８】
2005250674.tif 000010